(57)【要約】【課題】記録光に対してトラックずれ検出信号とランドプリピット検出信号が得られると同時に、再生光に対してはプリグルーブやプリピットからの影響が低減可能なプリグルーブ形状と寸法およびランドプリピット形状と寸法を有する情報記録媒体及びその記録媒体に情報を記録する方法並びにその記録媒体から情報を再生する方法、を提供する。【解決手段】この発明は、記録層１０３と光反射層１０２から構成される記録膜を具備し、記録層と光反射層との間の界面には、凹凸形状を有するプリグルーブ１０７と隣接するプリグルーブ間に挟まれたランド１０９が存在し、記録膜は６５０±５ｎｍの光で再生可能な光反射率を有し、記録層は６５０±５ｎｍよりも短波長の光に対して記録感度を有すると共に６５０±５ｎｍよりも短波長の光によりプリグルーブ上に記録マーク１０５の形成が可能であることを特徴とする情報記録媒体である。【選択図】  図２
2008176831.tif 000002
【特許請求の範囲】
【請求項１】
記録層と光反射層から構成される記録膜を具備し、
前記記録層と前記光反射層との間の界面には凹凸形状を有するプリグルーブと隣接する前記プリグルーブ間に挟まれたランドが存在し、
前記記録膜は６５０±５ｎｍの光で再生可能な光反射率を有し、
前記記録層は前記６５０±５ｎｍよりも短波長の光に対して記録感度を有すると共に前記６５０±５ｎｍよりも短波長の光によりプリグルーブ上に記録マークの形成が可能、
であることを特徴とする情報記憶媒体。
【請求項２】
前記記録層内における前記６５０±５ｎｍの光での屈折率をｎ６５０とした時、前記プリグルーブの深さが６５０／（１６・ｎ６５０）ｎｍよりも浅いことを特徴とする請求項１記載の情報記憶媒体。
【請求項３】
請求項１または２記載の情報記憶媒体に対し、
前記６５０±５ｎｍよりも短波長の光で前記記録マークを形成することを特徴とする情報記録方法。
【請求項４】
請求項３記載の情報記録方法により記録マークが形成された情報記憶媒体から前記６５０±５ｎｍの光で情報再生することを特徴とする情報再生方法。
【発明の詳細な説明】
【技術分野】
【０００１】
この発明は、情報記録媒体及び情報記録方法並びに情報再生方法に関する。
【背景技術】
【０００２】
レーザ光を用いて情報の記録と再生が可能な情報記録媒体すなわち光ディスクが実用化されて久しい。例えば、直径が１２ｃｍのＤＶＤ規格の光ディスクには、標準的な画質の映像が、数時間記録可能である。また、再生専用の光ディスクにおいては、映像ソフトやコンテンツが、プレス加工あるいは成型加工により短時間で収録可能である。なお、情報の書き込み（追記）あるいは消去（書き換え）が可能なタイプの光ディスクには、ランドプリピットとグルーブトラック（プリグルーブ）が形成されている。
【０００３】
特許文献１には、プリグルーブとランドプリピットが存在する情報記憶媒体に対して新たな記録マークを記録する場合に、ａ）ランドプリピットに記録されたアドレス情報からの再生信頼性を確保するためにランドプリピットからは大きな検出信号が得られること、ｂ）記録マーク形成時の高いトラッキング安定性を確保するために、プリグルーブからの大きなトラックずれ検出信号を得ること、が示されている。
【特許文献１】特開２００１−２６６３６２
【発明の開示】
【発明が解決しようとする課題】
【０００４】
現在市販されているＤＶＤ−ＲディスクやＤＶＤ−ＲＷディスクではランドプリピットによりアドレス情報が予め記録されており、ウォブルされたプリグルーブ上に記録マークが形成されている。
【０００５】
特許文献１に示された例では、記録マークの記録用レーザ光の波長と記録マークからの情報を再生するためのレーザ光の波長が同じであるため、    
１．記録マークからの再生信号にランドプリピットからのクロストーク信号が混入するために記録マークからの再生信号特性が劣化し、記録マークからの再生信頼性が大幅に低下する    
２．プリグルーブからの回折光の影響でＤＰＤ（Differential Phase Detect）法によるトラックずれ検出特性が劣化し、記録マークからのトラックずれ検出安定性が低下する    
３．再生時のプリグルーブからのＤＣレベル低下が生じるため、記録マークからの再生信号振幅が低下し、記録マークからの再生信頼性が大幅に低下する    
問題がある。
【０００６】
この発明の目的は、記録光に対してトラックずれ検出信号とランドプリピット検出信号が得られると同時に、再生光に対してはプリグルーブやプリピットからの影響が低減可能なプリグルーブ形状と寸法およびランドプリピット形状と寸法を有する情報記録媒体及びその記録媒体に情報を記録する方法並びにその記録媒体から情報を再生する方法、を提供することである。
【課題を解決するための手段】
【０００７】
この発明は、上記問題点に基づきなされたもので、記録層と光反射層から構成される記録膜を具備し、前記記録層と前記光反射層との間の界面には凹凸形状を有するプリグルーブと隣接する前記プリグルーブ間に挟まれたランドが存在し、前記記録膜は６５０±５ｎｍの光で再生可能な光反射率を有し、前記記録層は前記６５０±５ｎｍよりも短波長の光に対して記録感度を有すると共に前記６５０±５ｎｍよりも短波長の光によりプリグルーブ上に記録マークの形成が可能であることを特徴とする情報記憶媒体である。
【発明の効果】
【０００８】
この発明の情報記録媒体は、記録マークを形成するための記録光及び記録マークを再生するための再生光を波長の異なる光とすることでき、記録処理及び再生処理が安定に処理できる。
【０００９】
また、この発明の情報記録媒体は、記録光に対してトラックずれ検出信号とランドプリピット検出信号が得られると同時に、再生光に対してはプリグルーブやプリピットからの影響が生じにくいプリグルーブ形状及び寸法、並びにランドプリピット形状及び寸法を有することから、記録処理と再生処理が一層安定化される。
【発明を実施するための最良の形態】
【００１０】
以下、図面を参照してこの発明の実施の形態を詳細に説明する。
【００１１】
図１は、現行の追記形情報記憶媒体（現行のＤＶＤ−Ｒディスク）の断面構造を示している。
【００１２】
現行のＤＶＤ−Ｒディスクでは、透明基板１０１は、記録層１０３の材料として有機色素系材料がスピナコーティング等により形成している場合が多く、光反射率を上げるために、記録層１０３に隣接してＡｌやＡｕ等の無機物（金属の場合が多い）から成る光反射層１０２が形成されている。光反射層１０２の表面は、記録層１０３側でのプリグルーブ１０７やランドプリピット１０８部の凹凸形状を反映して段差ｄｃが生じている。
【００１３】
現行の書替え形情報記憶媒体（現行のＤＶＤ−ＲＷディスク）においても、透明基板１０１は、図１に示したＤＶＤ−Ｒディスクに類似した構造でプリグルーブ１０７やランドプリピット１０８が形成されている。しかし、記録層１０３には、相変化形記録材料が用いられ、記録層の相変化による記録マークを形成することが、現行のＤＶＤ−Ｒディスクと異なる。
【００１４】
そのため、ＤＶＤ−ＲディスクとＤＶＤ−ＲＷディスクでは、記録層１０３の材料が異なるだけでなく、記録層１０３の内部が、それぞれ材質の異なる複数層（記録層を挟んだ上部保護層や下部保護層、下地層等による積層構造）である。
【００１５】
本実施例における情報記憶媒体内の微細構造を、図２及び図１０（ｂ）に示す。なお、図２では、図１０（ｂ）に示したランドプリピット１０８の記載を省略してある。
【００１６】
本実施例における追記形情報記憶媒体内の記録層１０３の材料としては、後述する有機色素系材料が使用されている。また、記録層１０３に隣接して、ＡｇまたはＡｇ合金等の無機物から成る光記録層１０２が形成されている。なお、図２に示す情報記録媒体では、光反射層１０２の反対側の界面には、図１と同様に凹凸形状が存在するが、光反射層１０２の厚みが充分厚いので、光反射層１０２の中央で切断した図面を示し、反対側の界面での凹凸形状の記載を省いた。
【００１７】
記録層１０３と光反射層１０２との界面では、プリグルーブ１０７やランドプリピット１０８部に段差がＨｒの凹凸形状になっている。
【００１８】
以降の説明では、本実施例における追記形情報記憶媒体内の記録層１０３として有機色素系材料を使用する実施例について説明するが、本発明はそれに限らず記録層１０３の材料として無機物を使用しても良い。
【００１９】
記録層１０３の材料として無機物を使用する例として、カルコゲナイド系等の相変化形（相変化を利用して記録マーク１０５を形成する）記録材料を使用してもよいし、Ｔｅ−Ｃ等の直接穴を開けて記録マーク１０５を形成するタイプ、あるいは異なる種類の無機層を複数層積層し、熱による拡散により記録マーク１０５内で混合物もしくは化合物を形成させてもよい。
【００２０】
図２に示した断面構造を有した本実施例における情報記憶媒体の場合には、Push-Pull法を用いたトラックずれ検出信号やランドプリピット１０８からの検出信号は、段差Ｈｒを有する記録層１０３と光反射層１０２との間の界面で反射した光の回折／干渉により得られる。
【００２１】
次に本発明の基本的な原理について説明する。
【００２２】
本発明実施例では記録／再生装置として記録光と再生光とで使用波長を変えると共に、波長の異なった記録光と再生光に対して良好な記録特性と再生特性を保証する情報記憶媒体を提供することに大きな特徴がある。
【００２３】
またさらに、記録光に対してトラックずれ検出信号とランドプリピット検出信号が得られると同時に再生光に対してはプリグルーブやプリピットからの影響がほとんど出ないようなプリグルーブ形状と寸法およびランドプリピット形状と寸法に設定することに次なる特徴がある。
【００２４】
現行のＤＶＤ−ＲディスクやＤＶＤ−ＲＷディスクでは再生光の波長として６５０±５ｎｍを前提としている。
【００２５】
本実施例における情報記憶媒体では、現行のＤＶＤ−ＲディスクやＤＶＤ−ＲＷディスクとの間の再生互換性を確保するため、波長が６５０±５ｎｍの光で再生可能とする。
【００２６】
記録光に対してトラックずれ検出信号とランドプリピット検出信号が得られると同時に再生光（６５０±５ｎｍの光）に対してはプリグルーブやプリピットからの影響がほとんど出ないようなプリグルーブ寸法及びランドプリピット寸法と記録光の波長との関係について図３を用いて説明する。
【００２７】
前述したように、Push-Pull法を用いたトラックずれ検出信号やランドプリピット１０８からの検出信号は記録層１０３と光反射層１０２との間の界面（図２参照）で反射した光の回折／干渉により得られる。
【００２８】
段差がＨｒであるプリグルーブ１０７またはランドプリピット１０８とランド１０９の両方にそれぞれ波長の異なる入射光１１４が照射された場合を説明する。
【００２９】
図３（ａ）は波長が６５０ｎｍの再生光が照射された場合を表し、プリグルーブ１０７またはランドプリピット１０８とランド１０９に対して垂直に反射される反射光１１５が段差Ｈｒにより受ける位相差を、ε６５０で表す。
【００３０】
図３（ｂ）は再生光とは異なる波長λｗの記録光が照射された場合を示している。記録光による反射光１１５が段差Ｈｒにより受ける位相差をελｗとする。
【００３１】
図３（ｃ）に示すように、段差量Ｈｒが等しい場合には、λｗ＜６５０ｎｍにおいて、ε６５０＜ελｗの関係が成り立つ。
【００３２】
ε６５０＜πであり、ελｗ＜πの場合には、位相差εが大きい方が反射光１１５間の干渉量が大きく、大きなトラックずれ検出信号とランドプリピット検出信号が得られる。
【００３３】
一方、位相差εが小さい方が反射光１１５間の干渉が小さく、プリグルーブやプリピットからの悪影響（先行技術の問題点で示したようなランドプリピットからのクロストーク信号やプリグルーブからのＤＣレベル低下による記録マークからの再生信号特性劣化）が出辛い（再生信号の特性劣化が少ない）。
【００３４】
そのため、本実施例では再生光の波長（６５０±５ｎｍ）に対して記録光の波長λｗを短くして（λｗ ＜ ６５０ｎｍ）記録光に対してトラックずれ検出信号とランドプリピット検出信号が得られると同時に再生光に対してはプリグルーブやプリピットからの影響がほとんど出ないようにしたことに大きな特徴がある。
【００３５】
記録光に使用される波長λｗの値は６５０ｎｍより短ければ任意の値を取ることが可能である。
【００３６】
しかしＨＤ  ＤＶＤやＢＤ（Blu Ray）で４０５ｎｍの半導体レーザ光源が使用されているので、同様に４０５ｎｍの光源を使用することで記録用光学ヘッドを安価に作成できる。
【００３７】
次に記録装置内に搭載される光学ヘッドについて説明する。
【００３８】
記録層１０３に集光する集光スポットは図１のプリグルーブ１０７上をトレース（トラッキング）する。
【００３９】
従って集光スポットサイズが極端に小さく無い場合すなわち一定以上の大きさを有する場合には、プリグルーブ１０７の中心からランドプリピット１０８の中心までの距離Ｌｌｃの集光スポットサイズに対する比率が大きい方がランドプリピット１０８からの検出信号が大きく取れる。
【００４０】
また現行のＤＶＤ−ＲディスクやＤＶＤ−ＲＷディスクでの再生用光学ヘッドでは使用する対物レンズの開口数ＮＡ（Numerical Aperture）を、０.６０±０.０１に規定している。
【００４１】
記録層１０３に集光する集光スポットのサイズは光の波長をλとした時、λ／ＮＡに比例することが知られている。
【００４２】
従って本実施例では記録装置内に搭載される光学ヘッド内の対物レンズＮＡ値を現行の再生用光学ヘッドよりも大きくすることで記録層１０３に集光する集光スポットのサイズを小さくしてランドプリピット検出信号を大きくする。
【００４３】
記録装置内に搭載される光学ヘッド内の対物レンズＮＡ値としては再生用光学ヘッドの対物レンズＮＡ値である０.６より大きいことが要求されるが、０.６５以上であることが望ましい。
【００４４】
さらに、ＮＡ＝０.７０以上あるいはＮＡ＝０.８３以上にすることでより大きなランドプリピット検出信号が得られる。
【００４５】
上記では説明をし易くするために記録装置と再生装置を区別して説明したが、本実施例ではそれに限らず同一装置内で記録用光学ヘッドと再生用光学ヘッドとを用意してもよいし、同一装置内の同一光学ヘッド内に記録用の４０５ｎｍ光源とＮＡ０.６５の記録用対物レンズそして再生用６５０ｎｍ光源とＮＡ０.６０の再生用対物レンズを持たせても良い。
【００４６】
さらにそれに限らずＮＡ０.６５の対物レンズのみを使用し、再生時にはＮＡが０.６０になるように送光系に脱着可能なアパーチャ（開口制限用シャッタ）を配置しても良い。
【００４７】
本実施例では再生装置内での再生用光学ヘッドを現行のＤＶＤプレーヤに合わせて（互換性確保を目指して）波長６５０ｎｍ、ＮＡ０.６０にする代わりに記録装置内での記録用光学ヘッドの光源波長を６５０ｎｍよりも短く（望ましくは４０５ｎｍ）し、さらに記録用光学ヘッドに使用される対物レンズのＮＡ値を０.６０よりも大きく（望ましくはＮＡ０.６５以上）することで再生時よりも記録時の（Push-Pullによる）トラックずれ検出信号量とランドプリピット検出信号量を増大させている。
【００４８】
このように記録時のトラックずれ検出信号量とランドプリピット検出信号量を相対的に増大させることで、再生時のランドプリピット検出信号の影響を軽減すると共に再生時のトラックずれ検出信号量を低下させてプリグルーブ１０７からのＤＣレベル低下を防止し、再生時の記録マークからの再生特性の信頼性低下を防止することが可能となる。
【００４９】
そのために本実施例では記録光と再生光間の波長の違いを利用し、プリグルーブ１０７の形状及び寸法とランドプリピット１０８の形状及び寸法範囲を規定したことに技術的な特徴がある。
【００５０】
図２で説明したように、記録層１０３と光反射層１０２との間の界面で反射する光（この場合には再生光）によりランドプリピット検出信号量とトラックずれ検出信号量が決定される。
【００５１】
６５０±５ｎｍの再生光における記録層１０３内での屈折率をｎ６５０とすると、ランドプリピットの深さ（段差）と等しいプリグルーブの深さ（段差）Ｈｒが６５０／（８・ｎ６５０）ｎｍの時が最もランドプリピット検出信号とトラックずれ検出信号が大きく検出される。
【００５２】
従って再生時にその影響を受けない条件としては本実施例ではプリグルーブの深さ（段差）およびランドプリピットの深さ（段差）Ｈｒがその半分の６５０／（１６・ｎ６５０）ｎｍ以下に設定する。
【００５３】
またより影響を受けない条件ではさらにその半分の ６５０／（３２・ｎ６５０）ｎｍ以下に設定することが望ましい。
【００５４】
記録層１０３と光反射層１０２との間の界面でのプリグルーブの深さ（段差）Ｈｒについてより詳細に検討を行う。
【００５５】
図３（ａ）及び図３（ｂ）で示した反射光１１５は対物レンズ通過後、情報記憶媒体の半径方向に配列された２分割検出器で光量検出される。
【００５６】
この光検出器内の各検出セルで検出された信号量をＩ１とＩ２で表す。
【００５７】
現行のＤＶＤ−Ｒ規格では、このトラックずれ検出信号の範囲として、      
０．２２＜｜Ｉ１−Ｉ２｜ａｃ／｜Ｉ１＋Ｉ２｜ｄｃ＜０．４４    （１）    
と規定している。
【００５８】
従って再生時のトラックずれ検出信号の影響を軽減し、プリグルーブ１０７からのＤＣレベル低下を防止する条件として本実施例では再生時の検出信号特性範囲として、    
｜Ｉ１−Ｉ２｜ａｃ／｜Ｉ１＋Ｉ２｜ｄｃ＜０．２２              （２）    
とする。
【００５９】
上記（２）式は最低条件であり、マージンを見越して、より再生時のトラックずれ検出信号の影響を軽減し、プリグルーブ１０７からのＤＣレベル低下を防止できる条件としては、（２）式の条件を半分に狭めた    
｜Ｉ１−Ｉ２｜ａｃ／｜Ｉ１＋Ｉ２｜ｄｃ＜０．１１              （３）    
が望ましい。
【００６０】
また現行のＤＶＤ−Ｒ規格では、ランドプリピット検出信号の範囲として    
０．１８＜｜Ｉ１−Ｉ２｜ｏ−ｐ／｜Ｉ１＋Ｉ２｜ｄｃ＜０．２８  （４）    
と規定しているので、再生時のランドプリピットからのクロストークの影響を軽減する条件として、本実施例では、再生時の検出信号特性範囲として      
｜Ｉ１−Ｉ２｜ｏ−ｐ／｜Ｉ１＋Ｉ２｜ｄｃ＜０．１８            （５）    
とする。
【００６１】
同様に、マージンを見越した条件としては、（５）式の条件を半分に狭めた    
｜Ｉ１−Ｉ２｜ｏ−ｐ／｜Ｉ１＋Ｉ２｜ｄｃ＜０．０９            （６）    
が一層望ましい。
【００６２】
上記の式において、集光スポットがプリグルーブ１０７とランド１０９を複数回跨った時に２個の検出セルで得られる信号の和であるＩ１＋Ｉ２に対する直流成分を｜Ｉ１＋Ｉ２｜ｄｃと定義し、２個の検出セルで得られる信号の差分振幅（交流成分）を｜Ｉ１−Ｉ２｜ａｃと定義する。
【００６３】
上記（２）式を満足するための記録層１０３と光反射層１０２との間の界面でのプリグルーブの深さ（段差）Ｈｒについてシミュレーションを行った。
【００６４】
シミュレーション条件としてトラックピッチＰｔｃ（図１参照）は現行ＤＶＤ−Ｒと同様の０．７４μｍに固定した。
【００６５】
記録層１０３と光反射層１０２との間の界面でのプリグルーブ断面形状は図１と同様に台形を仮定し、プリグルーブ１０７の左右斜面の傾斜角を５０度（垂直壁面の場合には９０度とした場合）に設定し斜面の中央での幅をランド幅とグルーブ幅と定義する。
【００６６】
波長６５０ｎｍの再生光をＮＡ０．６０の対物レンズで集光させた場合のプリグルーブ深さＨｒとPush-Pull信号振幅との間の関係を示すシミュレーション結果を図４に示す。なお、図４において、曲線Ａは、グルーブ深さが１０ｎｍの例を、曲線Ｂは、グルーブ深さが２０ｎｍの例を、曲線Ｃは、グルーブ深さが３０ｎｍの例を、曲線Ｄは、グルーブ深さが４０ｎｍの例を、曲線Ｅは、グルーブ深さが５０ｎｍの例を、曲線Ｆは、グルーブ深さが６０ｎｍの例を、曲線Ｇは、グルーブ深さが７０ｎｍの例を、それぞれ示している。
【００６７】
図４における縦軸の値は、（１）式に示す    
｜Ｉ１−Ｉ２｜ａｃ／｜Ｉ１＋Ｉ２｜ｄｃ                        （７）    
を表す。
【００６８】
図４は、パラメータをプリグルーブ深さＨｒとし、台形斜面の中央でのランド幅とグルーブ幅の比率を変えた時の（７）式の値を計算している。対物レンズに入射する入射光のビーム充填率を示すＡ／Ｗ値（Ａ：対物レンズの直径、Ｗ：入射光強度分布における中心強度に対するｅ−２幅の直径）は、円周方向で０．３０５８、半径方向で、０．１５１３とした。
【００６９】
同じ条件で、波長４０５ｎｍの記録光をＮＡ０．６５の対物レンズで集光させた場合のシミュレーション結果を図５に示す。なお、図５において、各曲線のａ〜ｇは、グルーブ深さを示し、それぞれは、図４の大文字と対応されている。
【００７０】
図５の例では、Ａ／Ｗ値は、円周方向で、０．３３３１、半径方向で、０．３３３１である。
【００７１】
図４に比べて図５の方が遙かに大きなPush-Pull信号振幅が得られていることが分かる。
【００７２】
図６は、図４の計算結果と図５の計算結果を、横軸をグルーブ深さとして重ねて示している。
【００７３】
上記（１）式の範囲が、図６の領域“Ｈ”で示した“ＤＶＤ−Ｒ規格上で規定されるPush-Pull信号の振幅範囲条件”になる。
【００７４】
上記（２）式を満足する条件として記録層１０３と光反射層１０２との間の界面でのプリグルーブの深さ（段差）Ｈｒを２０ｎｍ以下にすれば良いことが分かる。
【００７５】
また図６からこの条件下でもＮＡ０.６５の対物レンズを通過した波長４０５ｎｍの記録光で充分大きなPush-Pull信号振幅が得られることが分かる。
【００７６】
なお、図６から、上記（３）式を満足する条件として、記録層１０３と光反射層１０２との間の界面でのプリグルーブの深さ（段差）Ｈｒを１０ｎｍ以下にすれば良いことがわかる。
【００７７】
ＮＡ０．６５で４０５ｎｍの記録光を照射した場合には、プリグルーブの深さ（段差）Ｈｒに対して、    
６０ｎｍ≦Ｈｒ≦１００ｎｍ                                    （８）    
の範囲であれば、（１）式の条件を満足していることを図６は示している。
【００７８】
従って本実施例においてプリグルーブの深さ（段差）の範囲を（８）式の範囲内に設定している。
【００７９】
図２に示した構造を有し、波長４０５ｎｍの記録光で記録可能であると共に波長６５０ｎｍの再生光で記録マーク１０５からの充分大きな再生信号振幅が得られる記録層１０３に関する本実施例の説明を行う。
【００８０】
再生専用である現行のＤＶＤ−ＲＯＭディスクの規格上では、    
６５０ｎｍの再生光での反射率が円偏光入射時には、    
単層で４５〜８５％、    
多層で１８〜３０％                                            （９）    
６５０ｎｍの再生光での反射率が非円偏光（直線偏光）入射時には、    
単層で６０〜８５％、    
多層で１８〜３０％                                          （１０）    
の範囲内になることを規定している。
【００８１】
従って本実施例の情報記憶媒体に対しても６５０ｎｍの再生光に対する反射率が４５〜８５％（多層の場合には１８〜３０％）の範囲内に入るように記録膜設計を行っている。
【００８２】
具体的には本実施例では上記大きな光反射率を得るために図２に示した光反射層１０２の材料としてＡｇＢｉを使用したことに特徴がある。
【００８３】
本発明はそれに限らず光反射層１０２の材料として銀合金または銀単体を使用しても良い。
【００８４】
また、現行のＤＶＤ−ＲＯＭディスクの規格上での記録マーク１０５からの再生信号の変調度に関しては、    
“０レベル”から見た場合の最も再生信号が大きく出る時の値Ｉ１４Ｈと、    
最も再生信号が小さくなるところでの値Ｉ１４Ｌに対し、    
（Ｉ１４Ｈ−Ｉ１４Ｌ）／Ｉ１４Ｈ≧０．６０                  （１１）    
を満足するように規定しているので、本実施例でも上記（９）式〜（１１）式を満足するように、記録膜特性を工夫している。
【００８５】
本実施例での記録層１０３で使用される有機色素記録材料の光吸収スペクトルを図７に示す。なお、図７において、曲線Ｉは、記録前の有機色素材料の吸収（吸光度）を、曲線Ｊ（点線）は、記録後の有機色素材料の吸収（吸光度）を、それぞれ示している。
【００８６】
本実施例では４０５ｎｍ記録光で記録される有機記録材料と記録マーク１０５のところで６５０ｎｍ再生光により光反射量が変化する有機記録材料を混合した（組み合わせた）ことに大きな特徴がある。
【００８７】
本実施例で使用され、４０５ｎｍ記録光で記録される有機記録材料としては、本件出願人による特許願２００５−０２４３０３で示したＬ→Ｈ形記録材料を使用している。
【００８８】
特許願２００５−０２４３０３で説明したように、４０５ｎｍ記録光で記録される有機記録材料の最大吸収波長λｍａｘ  ｗｒｉｔｅの値を記録光の波長である４０５ｎｍよりも大きな値に設定することで、再生時の劣化防止や長期保存安定性を確保していることに特徴がある。
【００８９】
図７で示すように本実施例で使用される記録材料は４０５ｎｍの波長光に対して記録前に比べて記録後の吸光度が低下する。
【００９０】
４０５ｎｍの光は図２において透明基板１０１側から入射し、記録層１０３を経て光反射層１０２で反射後に再度記録層１０３を経て戻ってくる。
【００９１】
この光路途中で記録マーク１０５内での光吸収が低下するため戻ってくる反射光量が他の部分（反射光量がＬ：Ｌｏｗ）より増加（反射光量がＨ：Ｈｉｇｈ）する。
【００９２】
この時、記録マーク１０５の中では穴が開くのでは無く、特許願２００５−０２４３０３で記述したように分子配列変化または微小な分子構造変化により分子内の電子軌道変化が生じて光学特性が変化している。
【００９３】
本実施例における具体的な有機記録材料は、中心金属としてＣｏ（コバルト）を用いたアゾＣｏ錯体アニオン（アゾ金属錯体の一種）に、高感度化を目指して金属錯体になっていないアゾ色素を１０％添加した材料にヘミシアニンカチオンを組み合わせた。
【００９４】
本実施例ではそれに限らず、アゾＣｏ錯体アニオンに対してアゾ色素を１０％添加した材料に、モノメチンシアニンカチオンを組み合わせた材料でも良い。
【００９５】
さらに他の応用例としては、アゾＣｏ錯体アニオンに対してアゾ色素を１０％添加した材料にスチリルカチオンを組み合わせても良く、他には中心金属として銅Ｃｕを使用したアゾＣｕ錯体単体または中心金属としてニッケルＮｉを使用したアゾＮｉ錯体単体を使用しても良い。
【００９６】
また６５０ｎｍ再生光により光反射量が変化する有機記録材料として本件出願人による特許願２００５−１１６４６６で説明された材料を使用しても良い。
【００９７】
さらに本実施例では６５０ｎｍ再生光により光反射量が変化する有機記録材料の分子レベルでの熱構造変化温度または分解温度を４０５ｎｍ記録光で記録される有機記録材料に合わせることで記録／再生特性を安定化させたことに特徴がある。
【００９８】
記録マーク１０５形成時に４０５ｎｍ記録光で記録される有機記録材料の温度が上昇し分子配列変化または微小な分子構造変化が起きるが、この時の温度上昇に対応して６５０ｎｍ再生光により光反射量が変化する有機記録材料内でも分子配列変化または微小な分子構造変化が生じることで６５０ｎｍ再生光に対しても記録マーク１０５内での光反射量が変化する原理を発生させる。
【００９９】
具体的には前述した４０５ｎｍ記録光で記録される有機記録材料の分解温度が摂氏２３０〜２５０度なので、６５０ｎｍ再生光により光反射量が変化する有機記録材料もそれに合わせている。
【０１００】
６５０ｎｍ再生光により光反射量が変化する有機記録材料として具体的には本実施例ではペンタメチンシアニンカチオンにアゾＣｏ錯体アニオンを組み合わせている。
【０１０１】
またそれに限らずアゾＣｕ錯体単体でも良い。
【０１０２】
上述した記録材料を使用した場合には６５０ｎｍ波長光に対しても記録前に比べて記録後で吸光度が低下するＬ→Ｈ形記録材料になっている。
【０１０３】
また図７に示すように６５０ｎｍ再生光により光反射量が変化する有機記録材料の最大吸収波長λｍａｘ  ｒｅａｄの値を、再生光波長である６５０ｎｍよりも長波長側に設定することでＬ→Ｈ形記録特性での記録マーク１０５からの再生信号振幅の増大化を図っていることに特徴がある。
【０１０４】
現行ＤＶＤ−ＲＯＭディスクでは、記録ピットの部分で光反射量が低下するので（Ｈ→Ｌ形）、互換性を取るためには、記録マーク１０５形成後に、ファイナライズ処理として本実施例ではランド１０９上での記録処理を行う。
【０１０５】
またそれに限らず、情報記憶媒体作成直後に工場内で出荷前の特性検査の一環として、ランド１０９上の記録を行っても良い。
【０１０６】
本実施例では４０５ｎｍ記録光で記録される有機記録材料よりも６５０ｎｍ再生光により光反射量が変化する有機記録材料の混合比（重量比率）を大きくすることで６５０ｎｍ再生光による記録マーク１０５からの再生信号振幅を大きく取れるようにしたことに技術的特徴がある。
【０１０７】
本実施例では最低でも４０５ｎｍ記録光で記録される有機記録材料よりも６５０ｎｍ再生光により光反射量が変化する有機記録材料の混合比（重量比率）を大きくしているが、    
［６５０ｎｍ再生光により光反射量が変化する有機記録材料の混合比］：［４０５ｎｍ記録光で記録される有機記録材料の混合比］    
の値が７：３の時が最も良好な記録／再生特性が得られている。
【０１０８】
また本実施例ではそれに限らず上記の値を９：１にしても良い。
【０１０９】
図７に示した光吸収スペクトルを有するＬ→Ｈ形有機色素材料の屈折率特性を図８に示す。なお、図８において、曲線Ｋは、記録前の有機色素材料の屈折率を、曲線Ｌ（点線）は、記録後の有機色素材料の屈折率を、それぞれ示している。
【０１１０】
６５０ｎｍ波長光に対して記録前と記録後で屈折率が変化していることが分かる。
【０１１１】
（１１）式に示すような大きな再生信号変調度を得るため、本実施例では図７に示す吸光度変化だけで無く屈折率変化を利用した干渉現象も利用している。
【０１１２】
図２において６５０ｎｍの再生光を光反射層１０２と記録層１０３の界面だけで無く、記録層１０３と透明基板１０１との間の界面でも反射させると共に両者の反射光間の位相を大きくずらすことで互いに干渉させてトータルの反射光量を低下させる。
【０１１３】
記録マーク１０５の中では図８に示すように屈折率が低下するために反射光間の位相のずれ量が減少する結果、トータルの反射光量を増大させる。
【０１１４】
本実施例では上記効果を発揮するためにプリグルーブ１０７内での記録層１０３の厚みＤｇを最適化させている。
【０１１５】
条件を変えて実験した結果、プリグルーブ１０７内での記録層１０３の厚みＤｇは６０ｎｍが最も記録マーク１０５からの検出信号振幅が大きく取れ、３０〜９０ｎｍの範囲が適性であることが分かった。
【０１１６】
本実施例では上記記録層１０３材料に合わせてプリグルーブ１０７やランドプリピット１０８の形状や寸法を最適化していることに技術的な特徴がある。
【０１１７】
本実施例ではスピナコーティングにより記録層１０３を形成するため、図２に示すようにランド１０９内での記録層１０３の厚さＤｌがプリグルーブ１０７内での記録層１０３の厚さＤｇより薄くなっている。
【０１１８】
従って（８）式の条件と上述したＤｇの範囲の両方を満足するための透明基板１０１上でのプリグルーブ１０７の深さ（段差）Ｈｇは２０〜３３ｎｍの範囲内に設定している。
【０１１９】
実験結果によると透明基板１０１上でのプリグルーブ１０７の深さ（段差）Ｈｇを１５ｎｍ以下にすると記録層１０３の厚みＤｇを大きく取れず、記録マーク１０５からの再生信号振幅が小さくなることが分かった。
【０１２０】
また、先行技術の問題点で指摘したように再生時のプリグルーブ１０７からのＤＣレベルが低下すると記録マークからの再生信号振幅が低下すると言う問題が生じていた。
【０１２１】
上記問題を解決するため、本実施例ではプリグルーブ１０７の幅Ｗｇｃを２５０〜３８０に設定している。
【０１２２】
本実施例では図示して無いがプリグルーブ１０７をウォブルさせて回転同期や信号同期を取り易くしている。
【０１２３】
このウォブル振幅値も大き過ぎると記録マーク１０５からの再生信号特性に悪影響を与える。
【０１２４】
本実施例では、ウォブル振幅を１５ｎｍｐ−ｐ以下（５ｎｍｐ−ｐが最も適性）に設定し、記録マーク１０５からの再生信号特性を良好に保っている（再生信号の特性を安定化している）。
【０１２５】
また、先行技術の問題点で指摘したようにランドプリピット１０８からのクロストーク信号混入が記録マーク１０５からの再生信号特性に悪影響を及ぼす。
【０１２６】
従って、本実施例ではランドプリピット１０８からのクロストーク信号混入を低減するためのランドプリピット１０８の形状と寸法に対する技術的な工夫を行っている。
【０１２７】
図１及び図１０（ａ）に示すように、現行のＤＶＤディスクでは、ランドプリピット１０８が凹凸のピット形状で形成されていた。
【０１２８】
この場合にはピットの境界部での信号変化（揺り戻しを含む）が大きいため、クロストークの影響が大きかった。
【０１２９】
それに対して本実施例では図１０（ｂ）に示すようにプリグルーブ１０７の一部を蛇行させてランドプリピット１０８を形成させる。
【０１３０】
その結果、ランドプリピット１０８前後での信号変化量を適性に制御させて記録マーク１０５からの再生信号特性を良好に保つことが可能となる。
【０１３１】
本実施例ではランドプリピット１０８でのプリグルーブ１０７の蛇行長さＬｐｃを４００ｎｍ、蛇行振幅Ｗｐｃを３００ｎｍにしている。
【０１３２】
本発明における記録層１０３に使用される有機系記録材料の他の実施例を用いた場合の光吸収スペクトルを図９に示す。なお、図９において、曲線Ｍは、記録前の有機色素材料の吸収（吸光度）を、曲線Ｎ（点線）は、記録後の有機色素材料の吸収（吸光度）を、それぞれ示している。
【０１３３】
４０５ｎｍ記録光で記録される有機記録材料としては前述したＨ→Ｌ形記録材料を使用し、６５０ｎｍ再生光により光反射量が変化する有機記録材料として記録場所で黒化する感熱色素材料を使用している。
【０１３４】
前記感熱色素材料を使用することで６５０ｎｍ再生光の波長で記録後には吸光度が大幅に増加し、再生光の反射光量を低下させるＨ→Ｌ形の記録材料になっている。
【０１３５】
図９に示す他の実施例では記録後における６５０ｎｍ再生光により光反射量が変化する有機記録材料の最大吸収波長λｍａｘ  ｒｅａｄの値を再生光波長である６５０ｎｍよりも小さく設定することで、記録前後の吸光度変化量を増大させ（１１）式の条件を満足させている特徴がある。
【０１３６】
本発明における情報記憶媒体は図１６に示すように映像情報のネットワーク配信に利用される。
【０１３７】
特定情報の制作会社（コンテンツプロバイダ）５４からネットワークを経由して転送された暗号化された特定情報４５（映像コンテンツ１１）は、小売店（service anchor）５内での情報（複製）記録装置５５内で４０５ｎｍ記録光を用いて情報記憶媒体１０内に記録される。
【０１３８】
このように記録された情報記憶媒体１０から、エンドユーザ６は、６５０ｎｍの再生光を用いて映像コンテンツ１１を再生する。
【０１３９】
本発明では、情報記憶媒体の使用方法として下記の２方法を想定する。
【０１４０】
一方の方法は、図１６に示すように暗号化された特定情報４５（映像コンテンツ１１）を小売店５に対してネットワーク配信し、小売店５内で情報記憶媒体１０に記録する方法でＭＯＤ（Manufacturing On Demand）と呼ぶ。
【０１４１】
また、他方の方法は、直接エンドユーザ６にネットワーク配信し、エンドユーザ６が所有している記録装置内で４０５ｎｍ記録光を用いて情報記憶媒体１０に記録する方法で、ＥＳＴ（Electric Sell Through）と呼ぶ。
【０１４２】
本実施例の情報記憶媒体におけるマクロ的な構造を図１１に示す。
【０１４３】
システムリードイン領域ＳＹＬＤＩのトラックピッチと線密度はいずれもデータリードイン領域ＤＴＬＤＩよりも大きく（およそ２倍ずつ）なっている。
【０１４４】
本実施例においてシステムリードイン領域ＳＹＬＤＩ内とデータリードイン領域ＤＴＬＤＩ内いずれも情報記憶媒体形成後に４０５ｎｍ記録光により記録マーク１０５を形成することで情報の記録を行う。
【０１４５】
システムリードイン領域ＳＹＬＤＩ内には、図１２に示すように、制御データゾーンＣＤＺが記録可能になっており、その中の物理フォーマット情報ＰＦＩ内のバイト位置が３２バイトから１２７バイトまでの領域に本発明媒体に対する識別情報２６２が記録可能になっている。
【０１４６】
またさらに各規格書のタイプとバージョンの固有情報２６３と各リビジョン毎に設定できる情報内容２６４が記録可能になっており、このリビジョン毎に設定できる情報内容２６４内に４０５ｎｍ記録光を用いて情報記憶媒体１０内に記録する時の記録条件（ライトストラテジ）が記録可能になっている。
【０１４７】
図１６または図１７に示すように、情報記憶媒体の製造会社９からブランク状態２０の情報記憶媒体１０が販売される。
【０１４８】
本実施例においてはＭＯＤとして使用される場合にはブランク状態２０の情報記憶媒体１０内には図１２に示すシステムリードインＳＹＬＤＩ内の情報（制御データゾーンＣＤＺ内の物理フォーマット情報ＰＦＩを含む）が未記録な状態で販売される。
【０１４９】
この方法では情報記憶媒体の製造会社９内では情報記憶媒体１０内にシステムリードインＳＹＬＤＩ内の情報（制御データゾーンＣＤＺ内の物理フォーマット情報ＰＦＩを含む）を記録するコストが掛からないので、小売店５に対して安価にブランク状態２０の情報記憶媒体１０を売ることができる。
【０１５０】
このＭＯＤの場合には４０５ｎｍ記録光を用いて記録する時の記録条件（ライトストラテジ）はランドプリピット１０８内に予め記録されている。
【０１５１】
ＭＯＤの場合にはランドプリピット１０８に予め記録された情報に対する再生性能の優れた情報（複製）記録装置５５を使用しているため、ランドプリピット１０８からの情報再生安定性が確保されている。
【０１５２】
それに比べてＥＳＴで使用される場合にはエンドユーザ６が所有する記録装置のランドプリピット１０８からの情報再生安定性が保証できない。
【０１５３】
そのため本実施例ではブランク状態２０の情報記憶媒体１０として４０５ｎｍ記録光を用いて記録する時の記録条件（ライトストラテジ）が記載された物理フォーマット情報ＰＦＩを含む制御データゾーンＣＤＺ（とそれを包括するシステムリードイン領域ＳＹＬＤＩ）の情報を記録して販売する。
【０１５４】
４０５ｎｍ記録光を用いて記録された情報（記録マーク１０５）からの再生信頼性が高いので、本実施例によればＥＳＴで使用する時の記録条件（ライトストラテジ）情報の獲得信頼性が大幅に向上する。
【０１５５】
図１２（ｃ）に示した物理フォーマット情報ＰＦＩ内の詳細な情報内容を図１３に示す。
【０１５６】
本発明の情報記憶媒体は、現行のＤＶＤプレーヤで再生できることを前提としている。
【０１５７】
従って、記録装置または再生装置が安定に動作できるように物理フォーマット情報ＰＦＩ内に、現行の再生専用のＤＶＤ−ＲＯＭディスクか、現行の追記形のＤＶＤ−Ｒディスクか本発明の情報記憶媒体であるかの識別情報を持たせたことに本実施例の特徴がある。
【０１５８】
図１３に示す実施例では、本発明媒体に対する識別情報２６２の記録領域内でバイト位置が３４バイト目に、ページ記述子ＰＧＤを配置する。
【０１５９】
このページ記述子ＰＧＤが、    
００ｈの時には、現行の再生専用のＤＶＤ−ＲＯＭディスクまたは、現行の追記形ＤＶＤ−Ｒディスクを示し、    
１０ｈの時には本発明の情報記憶媒体でＭＯＤとして使用され、    
１１ｈの時には本発明の情報記憶媒体でＥＳＴとして使用される    
ことを示す。
【０１６０】
それにより記録装置または再生装置のディスク判別が高速かつ容易に行え、記録／再生処理の簡素化と安定化を保証できる。
【０１６１】
図１３に示すように各リビジョン毎に固有に設定できる情報内容２６４の領域内のバイト位置５１２以降に４０５ｎｍ記録光を用いて記録する時の記録条件（ライトストラテジ）が記録可能になっている。
【０１６２】
現行の追記形のＤＶＤ−Ｒディスクではここの領域内に６５０ｎｍ波長光で記録する時の記録条件（ライトストラテジ）を記録可能にすることで、情報記憶媒体の種別毎に異なる記録条件（ライトストラテジ）を同じ領域内に記録可能となり物理フォーマット情報ＰＦＩ内の領域内の有効利用をすることが可能となる。
【０１６３】
また、図１３に示したデータ領域ＤＴＡの配置場所情報内の情報内容を図１４に示す。
【０１６４】
本実施例の情報記憶媒体も、現行のＤＶＤ−Ｒディスクと同様に“追記形情報記憶媒体内”として共通の情報を記録する。
【０１６５】
物理フォーマット情報ＰＦＩ内に、現行の再生専用のＤＶＤ−ＲＯＭディスクか、現行の追記形のＤＶＤ−Ｒディスクか本発明の情報記憶媒体であるかの識別情報を持たせる方法として本発明の他の実施例では、図１４に限らず図１３のバイト位置で０バイト目に示した“規格書のタイプ情報とバージョン番号情報”を利用して（バージョン番号を現行の値と変えて）識別情報を持たせると共に、ＭＯＤ使用か、ＥＳＴ使用かの識別情報を持たせても良い。
【０１６６】
さらに他の実施例として図１３のバイト位置で１７バイト目から２７バイト目に示したリビジョン番号情報やリビジョン番号テーブル、クラス状態情報あるいは拡張された（パート）バージョン情報内に特定の値を設定することで本発明の情報記憶媒体であると共にＭＯＤ使用かＥＳＴ使用かの識別情報を持たせても良い。
【０１６７】
現行のＤＶＤ−Ｖｉｄｅｏディスクに記録される情報内容とその作成場所について、図１５を用いて説明する。
【０１６８】
現行のＤＶＤ−Ｖｉｄｅｏディスクでは映像情報の不正コピーを防止する機能として、ＣＳＳ方式を用いた暗号化処理がなされている。
【０１６９】
コンテンツ制作会社（スタジオ）１が作成した映像コンテンツ１１は、テープを媒体として、あるいはネットワーク転送により、ディスク複製会社（レプリケータ）４に配信される。
【０１７０】
映像コンテンツ１１に対する不正コピーを防止する場合には、この配信された映像コンテンツ１１そのものがＤＶＤビデオディスク３内に記録するのでは無く、映像コンテンツ１１をタイトル鍵１２により暗号化した暗号化された映像コンテンツ１４がＤＶＤビデオディスク３の中に記録される。
【０１７１】
この暗号化処理は、ディスク複製会社（レプリケータ）４内に存在する映像コンテンツ暗号器２２内で行われると共に、暗号化に使用されるタイトル鍵１２もディスク複製会社（レプリケータ）４内に存在するタイトル鍵生成部２１内で発行される。
【０１７２】
またディスク複製会社（レプリケータ）４は有料で（鍵代金１７を支払って）暗号鍵発行会社であるＣＳＳエンティティー２からディスク鍵情報１５と暗号化されたディスク鍵群１６の情報をもらい、この暗号化されたディスク鍵群１６の情報をＤＶＤビデオディスク３内に記録する。
【０１７３】
さらにＣＳＳエンティティー２からもらったディスク鍵１５の情報を利用してタイトル鍵１２を暗号化し、暗号化されたタイトル鍵１３も同じくＤＶＤビデオディスク３内に記録する。
【０１７４】
現行におけるＤＶＤ−Ｖｉｄｅｏディスクでは暗号化されたディスク鍵群１６をリードイン領域内（図１１におけるシステムリードイン領域ＳＹＬＤＩ内の図１２（ａ）に示した制御データーゾーンＣＤＺ内）に記録すると共に、暗号化されたタイトル鍵１３に関する情報はＤＶＤビデオディスク３の基本記録単位である物理セクター内の特定場所内に分散配置記録される。
【０１７５】
またディスク複製会社（レプリケータ）４はＤＶＤビデオディスク３を製造する毎にＤＶＤライセンス会社７に対してＤＶＤライセンス料１９を支払い、ＤＶＤビデオディスク製造許諾権１８を得ている。
【０１７６】
このように暗号化されたディスク鍵群１６と暗号化されたタイトル鍵１３、暗号化された映像コンテンツ１４が記録されているＤＶＤビデオディスク３をエンドユーザ６は購入代金３５を払って購入する。
【０１７７】
エンドユーザ６が所有している再生装置であるＤＶＤプレーヤでは図示して無いが、マスタ鍵を使ってディスク鍵の暗号解読を行い、解読されたディスク鍵を利用して生成（暗号解読）されたタイトル鍵１２を利用して暗号化された映像コンテンツ１４を非暗号状態の映像コンテンツ１１に戻して再生表示する。
【０１７８】
現行のＤＶＤビデオディスク３では上記暗号化されたディスク鍵群１６と暗号化されたタイトル鍵１３、暗号化された映像コンテンツ１４が微細な凹凸形状を有するピットとして記録されているのに対し、本実施例では波長λｗの記録光により形成された記録マーク１０５の形で情報記憶媒体１０内に記録されると共に映像コンテンツ１１に関係する情報である暗号化された特定情報４５（暗号化された映像コンテンツ１４）とＣＳＳ方式に関係する暗号化関連情報がネットワーク配信されることに大きな特徴がある。
【０１７９】
現行の追記形情報記憶媒体であるＤＶＤ−Ｒディスクでは不正コピー防止のための暗号化方式としてＣＰＲＭを使用するのに対して本実施例に示した情報記憶媒体１０に対しては図１５に示したＣＳＳに関連した情報を記録することに情報記憶媒体としての大きな特徴がある。
【０１８０】
すなわち、波長λｗの記録光により情報が記録された後の本実施例に対応した情報記憶媒体は、凹凸形状を有するピットでは無く記録マーク１０５が形成されているにも関わらず、あたかも図１５により作成したＤＶＤ−Ｖｉｄｅｏディスクであるかのように、ＤＶＤプレーヤ（再生装置）に認識させて再生を可能にする。
【０１８１】
従って波長λｗの記録光により情報が記録された後の本実施例に対応した情報記憶媒体は上記ＣＳＳに関連した情報である暗号化されたディスク鍵群１６（図１２に示すシステムリードイン領域ＳＹＬＤＩ内の制御データゾーンＣＤＺ内に記録される）と暗号化されたタイトル鍵１３、暗号化された映像コンテンツ１４が記録されている。
【０１８２】
また既存のＤＶＤプレーヤ（再生装置）に対して再生専用のＤＶＤ−Ｖｉｄｅｏディスクであるかの様に認識させるため、図１２に示す制御データゾーンＣＤＺ内の物理フォーマット情報ＰＦＩ内で“再生専用媒体（ＤＶＤ−ＲＯＭディスク）”であると明示することにも本実施例の特徴がある。
【０１８３】
これにより、ＤＶＤプレーヤ（再生装置）に一切の負担をかけることなく、安定に本発明実施例で示した情報記憶媒体１０内に記録された情報を再生させることが可能となる。
【０１８４】
具体的には本実施例においては図１３のバイト位置で０バイト目に記録される“規格書のタイプ情報とバージョン番号情報”で規格書タイプを“００００ｂ”と設定してＤＶＤ−ＲＯＭ規格書と指定する。
【０１８５】
規格書タイプをこのように指定したとしても、図１３に示したページ記述子ＰＧＤの情報を使うことで本実施例の情報記憶媒体か本物のＤＶＤ−ＲＯＭディスクかの識別は可能である。
【０１８６】
さらに、図１３のバイト位置で２バイト目に記録される媒体構造の中でエンボスピットと追記領域や書き替え領域の有無を指定することになっているが、本実施例では“ｂ２，ｂ１，ｂ０”の値を“００１”としてあたかもエンボスピットのみの構造であるようにＤＶＤプレーヤ（再生装置）に対して明示する。
【０１８７】
前記媒体構造の情報において、    
ｂ２＝０ｂの場合には対応する情報記憶媒体内に書き替え可能なユーザ領域を持たないことを示し、    
ｂ２＝１ｂの場合には対応する情報記憶媒体内に書き替え可能なユーザ領域を持つことを示す。
【０１８８】
また、    
ｂ１＝０ｂの場合には対応する情報記憶媒体内に追記可能なユーザ領域を持たないことを示し、
ｂ１＝１ｂの場合には対応する情報記憶媒体内に追記可能なユーザ領域を持つことを示す。
【０１８９】
さらに、    
ｂ０＝０ｂの場合には対応する情報記憶媒体内にエンボスピットが形成されているユーザ領域を持たず、    
ｂ０＝１ｂの場合には対応する情報記憶媒体内にエンボスピットが形成されているユーザ領域を持つ    
ことを意味する。
【０１９０】
上述したＭＯＤ方法に使用される情報記憶媒体１０は図１６または図１７に示すように小売店５内に設置された情報（複製）記録装置５５により暗号化されたディスク鍵群１６と暗号化されたタイトル鍵１３、暗号化された映像コンテンツ１４が記録され、ＥＳＴ方法に使用される情報記憶媒体はエンドユーザ６が所有している記録装置により暗号化されたディスク鍵群１６と暗号化されたタイトル鍵１３、暗号化された映像コンテンツ１４が記録される。
【０１９１】
いずれにしても、本実施例においては、ＣＳＳ関連情報と映像コンテンツ１４等の特定情報に関連する情報がネットワーク経由で記録装置に対して配信される。
【０１９２】
このようにネットワーク経由で配信される途中で映像コンテンツ１４等の特定情報が不正コピーされたり、ＣＳＳに関連した各種鍵情報が盗まれることで情報記憶媒体１０内に記録された暗号化された特定情報４２（暗号化された映像コンテンツ１４）の暗号解読が不正になされて不正コピーされる危険性が高くなる。
【０１９３】
この問題を解消するために本実施例では映像コンテンツ１４等の特定情報とＣＳＳに関連した各種鍵情報いずれに対しても暗号化後の情報をネットワーク経由で配信させることに本実施例の大きな特徴がある。
【０１９４】
それにより仮にネットワーク経由で情報が漏れたとしても、漏れた情報は非暗号化状態の（プレーンな）情報では無く必ず暗号化された情報なために再利用が不可能であり不正コピーが防止されると言う効果が生まれる。
【０１９５】
上記の本実施例における特徴に関する詳細な説明を図１６を用いて行う。
【０１９６】
前述したようにＭＯＤ方法に使用される情報記憶媒体１０は小売店５内に設置された情報（複製）記録装置５５内で記録波長λｗ（≠６５０ｎｍ）の光で記録される。
【０１９７】
この情報（複製）記録装置５５内には通信鍵記憶部５２とマスタ鍵記憶部２７が存在する。
【０１９８】
図１６では両者が異なるように記述されているが、それに限らず通信鍵記憶部５２とマスタ鍵記憶部２７が１個のメモリ内で兼用されていても良い。
【０１９９】
小売店５は、映像コンテンツ１１等の特定情報の制作会社（コンテンツプロバイダ）５４に対して通信鍵代金４９を支払って、通信鍵４４を購入する。
【０２００】
この特定情報の制作会社（コンテンツプロバイダ）５４はこの通信鍵を利用して映像コンテンツ１１等の特定情報を暗号化し、通信鍵で暗号化された特定情報４５をネットワーク経由で小売店５に対して配信する。
【０２０１】
また小売店５ではこの特定情報を暗号化して記録した情報記憶媒体１０をエンドユーザ６に売ると、その売り上げに応じた複製許可代金４７を特定情報の制作会社（コンテンツプロバイダ）５４に対して支払う。
【０２０２】
特定情報の制作会社（コンテンツプロバイダ）５４から配信された通信鍵で暗号化された特定情報４５は既に配信された通信鍵４４の情報を利用し、特定情報に対する複合器５１内で一度は暗号解読される。
【０２０３】
その直後にタイトル鍵１２で暗号化し、タイトル鍵で暗号化された特定情報４２の形で情報記憶媒体１０内に記録される。
【０２０４】
図１５に示した現行の例では暗号鍵発行会社（ＣＳＳエンティティー）２とディスク複製会社（レプリケータ）４との間で、ディスク鍵１５が転送されるが、この経路は充分にセキュリティ対策が施された環境下で転送される。それに比べ、図１６に示したシステム上でのネットワーク経路は、セキュリティ対策が甘く、この経路途中でディスク鍵１５が外部に漏れる危険性がある。
【０２０５】
それに対して、図１６に示した実施例では、プレーンな（非暗号化）状態のディスク鍵１５の代わりに、暗号化されたタイトル鍵１３がネットワークを経由して小売店５へ転送される。
【０２０６】
それを可能にするために、本実施例では暗号鍵発行会社（ＣＳＳエンティティー）２と小売店５との間にエージェント会社８を配置している。
【０２０７】
このエージェント会社８ではタイトル鍵生成部２１によりタイトル毎のタイトル鍵１２を発行する。
【０２０８】
次に充分にセキュリティ対策が施された環境下で暗号鍵発行会社（ＣＳＳエンティティー）２から転送されたディスク鍵１５を用いて暗号化されたタイトル鍵１３をタイトル鍵の暗号器２３内で発生させて小売店５へ向けてネットワーク配信する。
【０２０９】
小売店５内の情報（複製）記録装置５５内ではこのネットワーク配信された暗号化されたタイトル鍵１３を情報記憶媒体１０内にそのまま記録する。
【０２１０】
小売店５では情報記憶媒体１０内に記録したタイトル鍵１３の記録回数に応じてエージェント会社８に対して鍵代金とＤＶＤライセンス料３３を支払う。
【０２１１】
エージェント会社８ではこれにより集まったＤＶＤライセンス料３３をまとめてＤＶＤライセンス会社７に支払う。
【０２１２】
またＤＶＤライセンス会社７はブランク状態２０の情報記憶媒体１０を製造する情報記憶媒体の製造会社９に対してＤＶＤライセンス料３２を徴収する代わりに情報記憶媒体の製造許諾権３１を与える。
【０２１３】
図１６に示したエージェント会社８は図１５に示したディスク複製会社（レプリケータ）４と同様に暗号鍵発行会社（ＣＳＳエンティティ）２からディスク鍵１５と共に暗号化されたディスク鍵群１６を受け取るが、エージェント会社８は小売店に対して暗号化されたディスク鍵群１６をそのままネットワーク配信する。
【０２１４】
このように小売店５に対してネットワーク配信される情報は“通信鍵で暗号化された特定情報４５”と“暗号化されたディスク鍵群１６”、“暗号化されたタイトル鍵”と言う全て暗号化された情報なため、ネットワーク経路途中で情報が漏れたとしても不正コピーを防止することが可能となる。
【０２１５】
図１６ではＭＯＤ方法に使用される情報記憶媒体１０に対する説明を行っているが、本発明はそれに限らずＥＳＴ方法に使用される情報記憶媒体１０に対しても適応が可能である。
【０２１６】
ＥＳＴの場合にはネットワーク経由での配信先がエンドユーザ６となるが、この場合でもエンドユーザ６に対しては“通信鍵で暗号化された特定情報４５”と“暗号化されたディスク鍵群１６”、“暗号化されたタイトル鍵”と言う全て暗号化された情報が配信されるため、不正コピーを防止できる。
【０２１７】
さらにＭＯＤとＥＳＴのいずれの場合でもネットワーク配信されるＣＳＳに関連した情報が“暗号化されたディスク鍵群１６”と“暗号化されたタイトル鍵”と言う情報記憶媒体１０内に記録される情報と一致しているため、情報（複製）記録装置５５内の記録前段階処理が大幅に簡素化されて情報（複製）記録装置５５の低価格化と処理の信頼性向上が実現できる。
【０２１８】
また情報（複製）記録装置５５内のディスク鍵の複合器２８内ではマスタ鍵記憶部２７から転送されるマスタ鍵４０を利用し、エージェント会社８からネットワーク配信された暗号化されたディスク鍵群１６の暗号解読を行う。
【０２１９】
ここで得られたディスク鍵１５を利用してタイトル鍵の複合器２９内では同じくエージェント会社８からネットワーク配信された暗号化されたタイトル鍵１３の暗号解読を行ってタイトル鍵１２を生成し、このタイトル鍵１２を用いて特定情報に対する暗号器４１内で特定情報４３の暗号化を行って情報記憶媒体１０へ記録する。
【０２２０】
本発明の他の実施例（応用例）を図１７に示す。
【０２２１】
図１７においても情報（複製）記録装置６０に対してネットワーク配信されるＣＳＳ関連情報は“暗号化されたディスク鍵群１６”と“暗号化されたタイトル鍵”と言う暗号化された情報記憶媒体１０に記録される情報であることは、図１６に示した実施例と一致している。
【０２２２】
しかし図１７の応用例では映像コンテンツ１１をネットワーク配信される代わりに通常のＤＶＤ−Ｖｉｄｅｏディスク３を配送３６していることが異なる。
【０２２３】
図１７に示した実施例では情報（複製）記録装置６０内部でこのＤＶＤ−Ｖｉｄｅｏディスク３内に記録されている暗号化された映像コンテンツ１４の暗号解読（復合化）を行うと共にこの暗号解読後の映像コンテンツ１４を再度暗号化して本発明の情報記憶媒体１０に記録する。
【０２２４】
以上説明したように、この発明の情報記録媒体によれば、記録マークに対する記録光と再生光とで使用波長を変え、さらに記録光に対してトラックずれ検出信号とランドプリピット検出信号が得られると同時に再生光に対してはプリグルーブやプリピットからの影響がほとんど出ないようなプリグルーブ形状と寸法およびランドプリピット形状と寸法に設定することで、より一層の記録処理と再生処理の安定化を図れる。
【０２２５】
なお、本発明は、上述のいずれかの実施の形態そのままに限定されるものではなく、実施段階ではその要旨を逸脱しない範囲で構成要素を変形して具体化できる。また、上記のいずれかの実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０２２６】
【図１】追記形情報記録媒体の構造の一例を説明する概略図。
【図２】図１の追記形情報記録媒体とは異なる情報記録媒体の断面構造の一例を説明する概略図。
【図３】本発明の実施例で使用される基本原理を説明する概略図。
【図４】波長６５０ｎｍの光をＮＡ＝０．６の対物レンズで集光させた場合のグルーブ深さとPush-Pull信号振幅との関係を説明するグラフ。
【図５】波長４０５ｎｍの光をＮＡ＝０．６５の対物レンズで集光させた場合のグルーブ深さとPush-Pull信号振幅との関係を説明するグラフ。
【図６】波長６５０ｎｍの光をＮＡ＝０．６の対物レンズで集光させた場合にPush-Pull信号振幅を小さくでき、波長４０５ｎｍの光を集光させた場合にPush-Pull信号振幅を大きくできる条件を満たすプリグルーブ深さ範囲を示すグラフ（波長６５０ｎｍの光によるPush-Pull信号振幅を所定の大きさに設定した状態で、波長４０５ｎｍの光を異なるＮＡの対物レンズで集光させた場合のPush-Pull信号振幅とグルーブの深さの関係を説明するグラフ）。
【図７】Ｌ→Ｈ型有機色素記録材料の光吸収スペクトル特性の一例を示すグラフ。
【図８】Ｌ→Ｈ型有機色素記録材料の屈折率特性の一例を示すグラフ。
【図９】Ｈ→Ｌ型有機色素記録材料の光吸収スペクトル特性の一例を示すグラフ。
【図１０】図１及び図２の追記形情報記録媒体のランドプリピットの構造を説明する概略図。
【図１１】図２の追記形情報記録媒体の記録領域の構造を説明する概略図。
【図１２】図２の追記形情報記録媒体の記録領域のデータ構造を説明する概略図。
【図１３】図１２に示したデータ構造の物理フォーマット情報とＲ物理フォーマット情報を説明する概略図。
【図１４】図１３に示したデータ構造のデータ領域ＤＴＡ内の物理フォーマット情報とＲ物理フォーマット情報を説明する概略図。
【図１５】現行の映像情報配信システムを説明する概略図。
【図１６】本発明の情報記録媒体を用いることで達成される映像情報配信システムの一例を説明する概略図。
【図１７】本発明の情報記録媒体を用いることで達成される映像情報配信システムの一例を説明する概略図。
【符号の説明】
【０２２７】
１０１…透明基板、１０２…光反射層、１０３…記録層、１０５…記録マーク、１０７…プリグルーブ、１０８…ランドプリピット、１０９…ランド。
【図１】
2008176831.tif 000003
【図２】
2008176831.tif 000004
【図３】
2008176831.tif 000005
【図４】
2008176831.tif 000006
【図５】
2008176831.tif 000007
【図６】
2008176831.tif 000008
【図７】
2008176831.tif 000009
【図８】
2008176831.tif 000010
【図９】
2008176831.tif 000011
【図１０】
2008176831.tif 000012
【図１１】
2008176831.tif 000013
【図１２】
2008176831.tif 000014
【図１３】
2008176831.tif 000015
【図１４】
2008176831.tif 000016
【図１５】
2008176831.tif 000017
【図１６】
2008176831.tif 000018
【図１７】
2008176831.tif 000019